(57)【特許請求の範囲】
【請求項１】
建物への入館用ゲートと、前記建物からの退館用ゲートと、前記入館用ゲートより、正規の入館者のみが入館するとき該ゲートを開制御し、不審者を含む入館者が入館するとき該ゲートを閉制御するとともに、前記退館用ゲートより、不審者が入館したとき該ゲートを閉制御する中央制御装置と、から構成される不審者入館防止システムであって、
前記入館用ゲートは、入館者を撮影する第一の撮影手段を備え、
前記退館用ゲートは、退館者と入館する不審者を撮影する第二の撮影手段を備え、
前記中央制御装置は、前記第一・第二の撮影手段による撮像を解析して、入館者の人数を認識するとともに退館方向と逆行する動きを認識する画像解析部を備え、登録されている入館者数と前記画像解析部により認識した入館者数が、一致すると判断したとき前記入館用ゲートを開駆動し、一致しないと判断したとき閉駆動するとともに、前記画像解析部が逆行入館を認識したとき、前記退館用ゲートを閉駆動する不審者入館防止システム。
【請求項２】
前記中央制御装置は、前記入館用ゲート又は入居者用端末装置から送信された入館者数を登録する入館者数登録手段を備えるものであることを特徴とする請求項１に記載された不審者入館防止システム。
【請求項３】
前記中央制御装置は、前記入居者用端末装置から送信された入館者数を優先して前記入館者数登録手段に登録する入館者数優先登録手段を備えるものであることを特徴とする請求項２に記載された不審者入館防止システム。
【請求項４】
前記建物のエントランスは、入館用エントランスと退館用エントランスに区画されてなり、
前記中央制御装置は、制御部と、これにそれぞれ装置内部で結合された、記憶部、複数の前記撮影手段に網結合された画像解析部及び複数の自動扉駆動装置に網結合された自動扉開閉部を備え、
前記入館用ゲートは、前記入館用エントランスに配設された少なくとも内外二重の第一、第二の自動扉を備え、前記第一の自動扉の屋外側に受付手段が設けられ、前記第一、第二の自動扉の間に第一の撮影手段を備え、
前記退館用ゲートは、前記退館用エントランスに配設された少なくとも内外二重の第三、第四の自動扉の間に第二の撮影手段を備え、
前記第三及び第四の自動扉の退館方向手前側及び前記第四の自動扉の屋外側に、順に第一乃至第三の人感センサーを備え、
前記受付手段は、来訪者が入居者用端末装置と通信する通信手段と、来訪者が来訪人数を入力するための第一の入力手段と、少なくとも来訪者人数を記録した認証媒体を発行する発券手段と、入居者の許可に基づき前記第一の入力手段又は前記発券手段を有効化する有効化手段と、前記発券手段より発券された認証媒体の記録情報を読み取る読取手段とを備え、
前記入居者用端末装置は、通信手段と入居者が入館許可人数を入力するための第二の入力手段と前記第一の自動扉を開駆動制御させる開扉操作手段を備え、
前記制御部は、
前記受付手段の読取手段が読取った前記認証媒体を認証したとき、又は、前記入居者用端末装置の開扉操作手段が操作されたとき、前記第一の自動扉を開駆動制御し、
前記入館者数登録手段に登録された入館者数と前記画像解析部が解析した入館者数が一致すると判断したとき、前記第二の自動扉を開駆動制御し、前記登録された入館者数と前記解析した入館者数が一致しないと判断したとき、前記第二の自動扉の閉駆動制御を継続し、
前記第一、第二の人感センサーが退館者を検知したとき、前記第三、第四の自動扉を開駆動制御し、前記画像解析部が逆行入館を認識したとき、前記第三の自動扉を閉駆動制御するとともに、前記第四の自動扉を開駆動制御することを特徴とする請求項１乃至請求項３のいずれかに記載された不審者入館防止システム。
【請求項５】
前記建物は、前記エントランスとエレベーターホールとが、ホールを挟んで配置され、
前記エレベーターホールと前記ホールの間に第五の自動扉が備えられ、前記ホールの前記第五の自動扉近傍には、第二の読取手段が備えられ、
前記発券手段は、前記来訪者人数と訪問先階を特定する情報を記録した認証媒体を発行するものであり、
エレベーター籠は、第三の読取手段を備え、
制御部は、
前記第二の読取手段が読取った前記認証媒体を認証したとき、前記第五の自動扉を開駆動制御し、
前記第三の読取手段が読み取った認証媒体が、前記発券手段により発券されたものであると判断したとき、訪問先階を特定する情報に基づいてエレベーターの停止階を特定して運行制御することを特徴とする請求項４に記載された不審者入館防止システム。
【請求項６】
エレベーター籠はさらに、第三の撮影手段を備え、
制御部は、前記登録された入館者数と前記画像解析部が解析した入館者数が一致しないと判断したとき、エレベーターの運行を開始しないことを特徴とする請求項５に記載された不審者入館防止システム。
【請求項７】
前記読取手段は、顔、虹彩、指紋、静脈のいずれか一つ以上を読取可能なものが付加されていることを特徴とする請求項４乃至請求項６のいずれかに記載された不審者入館防止システム。
【請求項８】
前記記憶部は、入居者ＩＤ、入居室、階数及び家族数を含む情報を記憶し、
前記制御部は、前記受付装置の読取手段が読み取った前記認証媒体が入居者に保有を許可したものであると判断したとき、前記家族数を前記入館者数登録手段により入館者数として登録し、前記画像解析部を解析した入館者数が、前記登録された入館者数以下であると判断したとき、前記第二の自動扉を開駆動制御し、エレベーターの停止階を自動指定するとともに、任意階を指定可能とすることを特徴とする請求項４乃至請求項７のいずれかに記載された不審者入館防止システム。
【発明の詳細な説明】
【技術分野】
【０００１】
本発明は、不審者入館防止システム、特に、正規の入館者によるスムースな入館を妨げることなく、不審者の入館を高いレベルで防止することができる不審者入館防止システムに関する。
【背景技術】
【０００２】
従来より、居住者が玄関キーを集合玄関機に差し込み操作することで自動ドアのオートロックを解除するか、又は集合玄関機に設けられたテンキーを操作して暗証番号を入力することで自動ドアのオートロックを解除することにより入館できるようにしたものが知られている。
このものは、前述した玄関キーを用いるか暗証番号を入力することで自動ドアのオートロックを解除する場合、集合玄関機を操作していることを後で見ていた人はオートロックが解除されたのを見極めて居住者の後について入館することができてしまい、不審者の入館を十分には防止することができない。
【０００３】
そこで、不審者の入場を防止するシステムとして、前記建物への正規の入場者によって携帯されると共に、無線にて有無が検出される携帯媒体と、前記建物に入場する際に通過する位置に設けられた扉の位置周辺で、かつ当該建物の館外の所定範囲内に存在する人の人数を検出する人検出手段と、前記建物の館外で、かつ前記扉の位置周辺の所定範囲内に存在する前記携帯媒体の数を検出する媒体検出手段と、前記人検出手段によって検出された前記人数と前記媒体検出手段によって検出された前記携帯媒体の数とが一致するか否かを判定する判定手段と、前記判定手段によって一致しないと判定された場合に前記人検出手段によって検出された人に不審者が含まれるものと見なして前記建物への不審者の入場を防止することができるものとして、前記扉の解錠を禁止する処理、警報を発する処理、及び前記人検出手段によって検出された人を撮影して記録する処理の少なくとも１つを実行する処理実行手段と、を備えた不審者入場防止システム（請求項２）が開示されている。
【特許文献１】特開２００７−７２８０４号公報
【０００４】
このシステムは、扉の解錠を禁止する処理を実行するときは、不審者が入場できないばかりでなく、正規の入場者自身が入場できないこととなり、また、警報を発する処理、及び前記人検出手段によって検出された人を撮影して記録する処理を実行するときは、扉が一重である事情も加わって、完全には不審者の入場を防止することはできない。
また、正規の入場者が退場する際開扉した瞬間に、屋外に配設された媒体検出手段が携帯媒体の無線を検出する一方、人検出手段は館内にいる退館者を検知しないことが起こり得るが、このときはシステムが正常と判断するので、不審者の入場を防止することが困難となる。
【０００５】
このシステムにより不審者の入場を完全に防止しようとすると、警備員等を配備する必要が生じ、維持管理費用負担が生じコスト高となり、さらには、複数の不審者が同時に不正入場しようとした場合にあっては、警備員等の人的対応では制限が困難となる。
【０００６】
他方、上記システムと同じ目的を達成するため、建屋の入場用ゲートと、退場用ゲートと、前記建屋への入場者の識別情報に基づいて前記各ゲートの開閉制御を行うセキュリティ制御装置とを含むセキュリティシステムであって、少なくとも前記入場用ゲートは、前記入場者の識別情報を読み取るリーダと、第１のゲートであるフラッパゲートと、前記第１のゲートにおける入場者の通過を検知する第１のセンサと、前記第１のゲートに続き通過する第２のゲートと、を含んで構成され、前記セキュリティ制御装置は、前記建屋への入場を許可する識別情報を列挙した認証用データを参照して、前記リーダから出力された識別情報が、前記建屋への入場を許可する識別情報と判断したとき、前記第１のゲートを開駆動させ、前記第１のセンサで前記第１のゲートを通過したことを検知したとき、前記第１のゲートを閉駆動させ、その後、前記第２のゲートを開駆動させ、前記リーダから出力された識別情報が前記建屋への入場を許可する識別情報ではないと判断したときは、前記第１のゲートおよび前記第２のゲートを開駆動させないセキュリティシステム（請求項２）が、開示されている。
【特許文献２】特開２００６−２５１９３４号公報
【０００７】
このシステムは、入場用ゲートが基本的にフラッパゲートをシステム要素として構成されていることから、ベビーカーを伴う人、幼児、多くの手荷物を持つ人等の入場が困難となり、また、複数人が入場しようとする際には手間取る恐れがある。
そこでこのシステムは、入居者が、フラッパゲートのテンキー入力等により通過人数を設定したり、フラッパゲート開閉制御を解除するためのボタンを押してフラッパゲートを開いたままにしたりすることにより、入居者自身の認証を条件として、入居者の家族や知人友人等の来訪者を複数人、個別の認証なしに通過させるようにしているが、このような操作は、セキュリティ制御装置により入場者が来訪者であると認証された場合は、無効とする（段落００１７）ものである。
【０００８】
来訪者に対しては、入居者用端末装置から出力された来訪者の入場許可信号に基づいて、前記ＩＤカード発行機に、来訪者毎に来訪者用ＩＤカードを発行させる（請求項１０）ものであるから、複数の来訪者が入場しようとする場合には、個々に認証を受けてフラッパゲートを通過する必要があり、円滑・迅速に入場することが困難となる。
【０００９】
さらにこのシステムは、退場用ゲートは、第３のゲートと、前記第３のゲートの建物側に設置された人間を検知するための第３のセンサと、前記第３のゲートに続き通過する第４のゲートと、前記第３のゲートと前記第４のゲートとの間の領域における退場者の在室を検知する第４のセンサとを備え、前記セキュリティ制御装置は、前記第３のセンサにより前記第３のゲートの前に人間が居ることを検知し、かつ前記第４のセンサにより前記第３のゲートと前記第４のゲートとの間の領域における人間の在室を検知しなかったとき、前記第３のゲートを開駆動させ、前記第４のセンサにより前記第３のゲートと前記第４のゲートとの間の領域における人間の在室を検知したとき、前記第４のゲートを開駆動させる（請求項３）ものである。
【００１０】
このため、複数の来訪者が退場する際に、大勢の来訪者が列をなして退場すると、第３のゲートと第４のゲートが同時に開いた状態が長く続き、不審者の入場を阻止できない。
また、複数の来訪者が退場中において、何らかの事情で第３のゲートが閉まった場合、第３のゲートと前記第４のゲートとの間の領域に人間が存在する限り、第３のゲートは再度開くことはない。例えば、事情を知らない来訪者が、第３のゲートと前記第４のゲートとの間の領域に立ち止まって仲間の退場を待っている場合、あるいは、第４のゲートが開いている間に、不審者が第３のゲートと前記第４のゲートとの間の領域に入り込んだ場合には、正規の来訪者である退場者は第３のゲートの内側で立ち往生されられる恐れがある。
このようなトラブルに対しては人的対応が不可欠となり、維持管理費用負担が生じコスト高となることを避けられない。
これに対応するため、入場用ゲートと退場用ゲートの間に防災センターを配置することが考えられるが、これは建物のレイアウトの制約要因となり好ましくない。
【発明の開示】
【発明が解決しようとする課題】
【００１１】
本発明は、既存の不審者入館防止システムの問題点を解決するために創案されたもので、入居者であるか来訪者であるか、あるいは少人数であるか多人数であるかを問わず、入館者が迅速に、確実に、制限を受けず自由に入館することができ、しかも、データセンター、オフィス、集合住宅等のハイレベルのセキュリティが求められる建物の不審者入館防止システムを提供すること、また、システムを自動化して可能な限り省力化を図り、維持管理コストを軽減することが可能な不審者入館防止システムを提供すること、さらには、建物のレイアウトの自由度を確保しつつ、不審者の入館を確実に防止することができる不審者入館防止システムを提供することを目的とするものである。
【課題を解決するための手段】
【００１２】
請求項１に係る発明は、建物への入館用ゲートと、前記建物からの退館用ゲートと、前記入館用ゲートより、正規の入館者のみが入館するとき該ゲートを開制御し、不審者を含む入館者が入館するとき該ゲートを閉制御するとともに、前記退館用ゲートより、不審者が入館したとき該ゲートを閉制御する中央制御装置と、から構成される不審者入館防止システムであって、前記入館用ゲートは、入館者を撮影する第一の撮影手段を備え、前記退館用ゲートは、退館者と入館する不審者を撮影する第二の撮影手段を備え、前記中央制御装置は、前記第一・第二の撮影手段による撮像を解析して、入館者の人数を認識するとともに退館方向と逆行する動きを認識する画像解析部を備え、登録されている入館者数と前記画像解析部により認識した入館者数が、一致すると判断したとき前記入館用ゲートを開駆動し、一致しないと判断したとき閉駆動するとともに、前記画像解析部が逆行入館を認識したとき、前記退館用ゲートを閉駆動する不審者入館防止システムとした。
請求項２に係る発明は、請求項１に記載された不審者入館防止システムにおいて、前記中央制御装置は、前記入館用ゲート又は入居者用端末装置から送信された入館者数を登録する入館者数登録手段を備えるものとした。
請求項３に係る発明は、請求項２に記載された不審者入館防止システムにおいて、前記中央制御装置１は、前記入居者用端末装置から送信された入館者数を優先して前記入館者数登録手段に登録する入館者数優先登録手段を備えるものとした。
請求項４に係る発明は、請求項１乃至請求項３のいずれかに記載された不審者入館防止システムにおいて、前記建物のエントランスは、入館用エントランスと退館用エントランスに区画されてなり、前記中央制御装置は、制御部と、これにそれぞれ装置内部で結合された、記憶部、複数の前記撮影手段に網結合された画像解析部及び複数の自動扉駆動装置に網結合された自動扉開閉部を備え、前記入館用ゲートは、前記入館用エントランスに配設された少なくとも内外二重の第一、第二の自動扉を備え、前記第一の自動扉の屋外側に受付手段が設けられ、前記第一、第二の自動扉の間に第一の撮影手段を備え、前記退館用ゲートは、前記退館用エントランスに配設された少なくとも内外二重の第三、第四の自動扉の間に第二の撮影手段を備え、前記第三及び第四の自動扉の退館方向手前側及び前記第四の自動扉の屋外側に、順に第一乃至第三の人感センサーを備え、前記受付手段は、来訪者が入居者用端末装置と通信する通信手段と、来訪者が来訪人数を入力するための第一の入力手段と、少なくとも来訪者人数を記録した認証媒体を発行する発券手段と、入居者の許可に基づき前記第一の入力手段又は前記発券手段を有効化する有効化手段と、前記発券手段より発券された認証媒体の記録情報を読み取る読取手段とを備え、前記入居者用端末装置は、通信手段と入居者が入館許可人数を入力するための第二の入力手段と前記第一の自動扉を開駆動制御させる開扉操作手段を備え、前記制御部は、前記受付手段の読取手段が読取った前記認証媒体を認証したとき、又は、前記入居者用端末装置の開扉操作手段が操作されたとき、前記第一の自動扉を開駆動制御し、前記入館者数登録手段に登録された入館者数と前記画像解析部が解析した入館者数が一致すると判断したとき、前記第二の自動扉を開駆動制御し、前記登録された入館者数と前記解析した入館者数が一致しないと判断したとき、前記第二の自動扉の閉駆動制御を継続し、前記第一、第二の人感センサーが退館者を検知したとき、前記第三、第四の自動扉を開駆動制御し、前記画像解析部が逆行入館を認識したとき、前記第三の自動扉を閉駆動制御するとともに、前記第四の自動扉を開駆動制御するものとした。
請求項５に係る発明は、請求項４に記載された不審者入館防止システムにおいて、前記建物は、前記エントランスとエレベーターホールとが、ホールを挟んで配置され、前記エレベーターホールと前記ホールの間に第五の自動扉が備えられ、前記ホールの前記第五の自動扉近傍には、第二の読取手段が備えられ、前記発券手段は、前記来訪者人数と訪問先階を特定する情報を記録した認証媒体を発行するものであり、エレベーター籠は、第三の読取手段を備え、制御部は、前記第二の読取手段が読取った前記認証媒体を認証したとき、前記第五の自動扉を開駆動制御し、前記第三の読取手段が読み取った認証媒体が、前記発券手段により発券されたものであると判断したとき、訪問先階を特定する情報に基づいてエレベーターの停止階を特定して運行制御することとした。
請求項６に係る発明は、請求項５に記載された不審者入館防止システムにおいて、エレベーター籠はさらに、第三の撮影手段を備え、制御部は、前記登録された入館者数と前記画像解析部が解析した入館者数が一致しないと判断したとき、エレベーターの運行を開始しないものとした。
請求項７に係る発明は、請求項４乃至請求項６のいずれかに記載された不審者入館防止システムにおいて、前記読取手段は、顔、虹彩、指紋、静脈、声紋のいずれか一つ以上を読取可能なものが付加されているものとした。
請求項８に係る発明は、請求項４乃至請求項７のいずれかに記載された不審者入館防止システムにおいて、前記記憶部は、入居者ＩＤ、入居室、階数及び家族数を含む情報を記憶し、前記制御部は、前記受付装置の読取手段が読み取った前記認証媒体が入居者に保有を許可したものであると判断したとき、前記家族数を前記入館者数登録手段により入館者数として登録し、前記画像解析部を解析した入館者数が、前記登録された入館者数以下であると判断したとき、前記第二の自動扉を開駆動制御し、エレベーターの停止階を自動指定するとともに、任意階を指定可能なものとした。
【発明の効果】
【００１３】
請求項１に記載された発明によれば、建物への入館用ゲートと退館用ゲートとを、別々のものとして構成したので、入館用ゲートより、正規の入館者のみが入館するとき該ゲートを開制御し、不審者を含む入館者が入館するとき該ゲートを閉制御するとともに、退館用ゲートより、不審者が入館したとき該ゲートを閉制御されることから、入館用ゲートと退館用ゲートのいずれからも非正規の入館を阻止することができる。
特に、入館用ゲートは、入館者を撮影する第一の撮影手段を備え、退館用ゲートは、退館者と入館する不審者を撮影する第二の撮影手段を備えて、これらの撮影手段による撮像を解析して、入館者の人数を認識するとともに退館方向と逆行する動きを認識することとしているので、登録されている入館者数と画像解析部により認識した入館者数が、一致すると判断したとき前記入館用ゲートを開駆動し、一致しないと判断したとき閉駆動するとともに、前記画像解析部が逆行入館を認識したとき、前記退館用ゲートを閉駆動することができ、入・退館を精度よく制御することができ、データセンター、オフィス、集合住宅等のハイレベルのセキュリティが求められる建物の不審者入館防止システムを提供することができる。
請求項２に記載された発明によれば、入館用ゲート又は入居者用端末装置から送信された入館者数を登録する入館者数登録手段を備えるから、いずれかから入館者数を登録することができる。
請求項３に記載された発明によれば、中央制御装置１は、入居者用端末装置から送信された入館者数を優先して入館者数登録手段に登録する入館者数優先登録手段を備えるから、入居者の許可した人数のみが入館可能となり、受付段階における訪問先と来訪者の入館者数をめぐるトラブルを防止することができる。
請求項４に記載された発明によれば、建物のエントランスは、入館用エントランスと退館用エントランスに区画され、中央制御装置は、制御部と、これにそれぞれ装置内部で結合された、記憶部、複数の撮影手段に網結合された画像解析部及び複数の自動扉駆動装置に網結合された自動扉開閉部を備え、入館用ゲートは、入館用エントランスに配設された少なくとも内外二重の第一、第二の自動扉を備え、第一の自動扉の屋外側に受付手段が設けられ、第一、第二の自動扉の間に第一の撮影手段を備え、退館用ゲートは、退館用エントランスに配設された少なくとも内外二重の第三、第四の自動扉の間に第二の撮影手段を備え、第三及び第四の自動扉の退館方向手前側及び第四の自動扉の屋外側に、順に第一乃至第三の人感センサーを備えてなるもので、いわゆる、フラッパーゲートを必要としないので、入館者が迅速に、確実に、制限を受けず自由に入館することができる。
また、請求項４に係る受付手段は、来訪者が入居者用端末装置と通信する通信手段と、来訪者が来訪人数を入力するための第一の入力手段と、少なくとも来訪者人数を記録した認証媒体を発行する発券手段と、入居者の許可に基づき第一の入力手段又は発券手段を有効化する有効化手段と、発券手段より発券された認証媒体の記録情報を読み取る読取手段とを備え、前記入居者用端末装置は、通信手段と入居者が入館許可人数を入力するための第二の入力手段と第一の自動扉を開駆動制御させる開扉操作手段を備えており、さらに、請求項４に係る制御部は、受付手段の読取手段が読取った認証媒体を認証したとき、又は、入居者用端末装置の開扉操作手段が操作されたとき、第一の自動扉を開駆動制御し、入館者数登録手段に登録された入館者数と画像解析部が解析した入館者数が一致すると判断したとき、第二の自動扉を開駆動制御し、登録された入館者数と解析した入館者数が一致しないと判断したとき、第二の自動扉の閉駆動制御を継続し、第一、第二の人感センサーが退館者を検知したとき、第三、第四の自動扉を開駆動制御し、画像解析部が逆行入館を認識したとき、第三の自動扉を閉駆動制御するとともに、第四の自動扉を開制御するから、入館時においては、第一の自動扉は少なくとも入居者の許可により開き、第二の自動扉は登録された人数と入館する人数が一致するとき開き、退館時においても、仮令第四の自動扉が開いているときに不審者が入館したとしても、第三の自動扉が閉じて非正規の入館を拒絶するから、いわば、ダブルチェック方式で認証され、システムを自動化して可能な限り省力化を図り、維持管理コストを軽減するものでありながら、不審者の入館を確実に防止することができる。
しかも、入館用エントランスと退館用エントランスとは、相互に独立・分離して区画可能であるので、隣り合って建付ける必要はなく、建物のレイアウトの自由度を確保しつつ、不審者の入館を確実に防止することができる。
請求項５に記載された発明によれば、建物は、エントランスとエレベーターホールとが、ホールを挟んで配置され、エレベーターホールとホールの間に第五の自動扉が備えられ、ホールの第五の自動扉近傍には、第二の読取手段が備えられ、発券手段は、来訪者人数と訪問先階を特定する情報を記録した認証媒体を発行するものであり、エレベーター籠は、第三の読取手段を備え、制御部は、第二の読取手段が読取った認証媒体を認証したとき、第五の自動扉を開駆動制御し、第三の読取手段が読み取った認証媒体が、発券手段により発券されたものであると判断したとき、訪問先階を特定する情報に基づいてエレベーターの停止階を特定して運行制御するから、不審者が第一、第二の自動扉、あるいは、第四、第三の自動扉を突破したとしても、エレベーターホールへ侵入できず、エレベーターの運行はされないから、三重、四重の高度のセキュリティを構築することができる。
請求項６に記載された発明によれば、エレベーター籠はさらに、第三の撮影手段を備え、制御部は、登録された入館者数と画像解析部が解析した入館者数が一致しないと判断したとき、エレベーターの運行を開始しないので、セキュリティをさらにハイレベルのものとすることができる。
請求項７に記載された発明によれば、読取手段は、顔、虹彩、指紋、静脈、声紋のいずれか一つ以上を読取可能なものが付加されているので、特に入居者については認証媒体を所持していなくても、入館可能とすることができる。
請求項８に記載された発明によれば、中央処理装置の記憶部は、入居者ＩＤ、入居室、階数及び家族数を含む情報を記憶し、制御部は、受付装置の読取手段が読み取った認証媒体が入居者に保有を許可したものであると判断したとき、家族数を入館者数登録手段により入館者数として登録し、画像解析部を解析した入館者数が、登録された入館者数以下であると判断したとき、第二の自動扉を開駆動制御し、エレベーターの停止階を自動指定するとともに、任意階を指定可能とするものであるから、さらに自動化を進めることができる。
【発明を実施するための最良の形態】
【００１４】
以下、本発明に係る不審者入館防止システムの実施の形態を図面に基づいて詳しく説明する。
図１は、本発明の不審者入館防止システムの構成を概略的に示すシステム構成概略図である。図２は、本システムを適用した実際の建物の全体図である。図３は、本システムの入館時における作動を示す図であり、（ａ）は第一の入館エントランス領域における作動を、（ｂ）は第二の入館エントランス領域における作動を、（ｃ）はエレベーターホールにおける作動を、それぞれ示す図である。図４は、本システムの退館時における作動を示す図である。図５は、本システムのメインルーチンを示す図、図６は、入館時のサブルーチンを示す図、図７は、退館時のサブルーチンを示す図である。
【００１５】
先ず、図１に基づいて本システムの構成の概略について説明する。
本システムの中央制御装置１は内部に、制御部１１と、この制御部１１にそれぞれ結合された記憶部１２と、各所に配備された動画カメラ２４とネットワークで結ばれた、画像を解析して入館者数をカウントする画像解析部１３と、各所に配備された自動ドア駆動装置２５とネットワークで結ばれた、自動ドア開閉部１４とを具備している。
前記した制御部１１は、さらに中央制御装置１の外部において、受付装置２１と、入居者用端末装置２２と、人感センサー２３と、撮影手段である動画カメラ２４と、ホール内に設けられた読取装置３２と、各エレベーター内に設けられた読取装置３３に網結合されたエレベーター制御装置３１と、通信線を介して結合されている。
【００１６】
本システムは、好適には図２に示される、エントランス１、２、４、５とエレベーターホール３とが、ホールを挟んで配置された建物に適用される。
前記エントランスは、入館用エントランス１、２と退館用エントランス４、５に区画され、入館と退館の動線が明確に区分されている。入館用エントランスと退館用エントランスの区画は、壁にて形成するものの他、植栽やロープ等で形成されていても良く、また、両者は物理的に分離されてレイアウトされていても良い。要は通常の通行態様では両者間を渡ることが不可能に区画されていればよい。
このように本システムによれば、入場用ゲートと退場用ゲートの間に防災センターを配置する必要がないばかりか、入館用エントランスと退館用エントランスを自由にレイアウトすることができる。
【００１７】
<実施例１>
図２、図３（ａ）、（ｂ）を参照して、前記入館用エントランス１、２は、入館用ゲートを構成する少なくとも内外二重の入館用エントランス自動扉Ａ、Ｂを備え、屋外側の入館用エントランス自動扉Ａの屋外側には受付装置が、内側の入館用エントランス自動扉Ｂの屋外側には入館者人数を確認するために撮影する動画カメラ２４Ａが、配設されている。
受付装置２１は、図１に示すように、来訪者が訪問先と通信する通信手段と、来訪者が訪問先室番号や入館人数等を入力するための入力手段と、少なくとも来訪者人数と訪問先の停止階を示すコード、例えば２次元バーコードが印刷された認証媒体である紙製の券を発行する発券手段と、来訪者に対して発行された券のコードリーダーと入居者が保有を許可されたＩＣ内蔵認証媒体のＩＤを読み取る非接触リーダーの２種類の認証媒体読取手段と、を備えている。
【００１８】
前記の発券手段が来訪者に対して発行する認証媒体は、ランニングコストを低減するため、この実施例では、来訪日時、停止階、入館者数と有効日時等を、二次元バーコードで印刷した紙としている。勿論ＩＣチップ内蔵のカードでもよい。複数の来訪者があるときは、この紙は代表者に対して１枚のみ発行し、発券時間を短縮して複数の来訪者の円滑・短時間の入館を可能としている。
入居者が保有を許可された認証媒体としては、偽造防止の観点からＩＣチップ内蔵のカードや玄関鍵の形態としている。
この認証媒体には、例えばＩＤのみが記憶されており、中央制御装置１の記憶部１２に、これに対応するデータベースが構築されている。前記の読取手段であるリーダーは、このＩＤからデータベースを参照して、例えば停止階や家族数等、必要とする情報を読み取るようにしてある。この認証媒体に必要とする全ての情報を記憶させることもできる。
【００１９】
前記の受付装置のテンキー等の入力手段は、訪問先の室番号等訪問先から示された識別番号を入力することにより、入居室に設置された入居者用端末装置と通話が可能となり、訪問先の許可、例えば入館者数入力許可ボタンの操作等により、入館者数の入力が有効化される。
来訪者は、この入力有効化処理の後にテンキー等の入力手段から入館者数を入力すると、制御部１１は、この入力値をデータセットして入館者数として登録する。
より安全性を高めるために、入館者数の入力は、入居者用端末装置から行うようにしてもよい。このとき、入居者用端末装置は、該装置から送信された入館者数を優先して入館者数登録手段に登録する入館者数優先登録手段を備える構成とすれば、来訪者の意向にかかわらず、入居者の意向を反映した来訪許可人数を指定でき、さらにセキュリティを向上することが可能である。
なお、来訪者の入館者数の入力手段としては、前記のリーダーで発券された紙の二次元バーコードに印刷・記録された人数を読み取り、読み取った値を制御部１１に送信することにより入力・登録することとしてもよい。上記の発券手段は入居者の許可により有効化される。
入館者数が登録されたら、入居者用端末装置の扉開操作部の操作により、前記した第一の自動扉を開放する。図６のステップ１０８、１０９に示すように、この操作を省略して、入館者数が登録されたことを条件として、開放することとしてもよい。
また、リーダーが入居者のＩＤを読み取ったときは、制御部１１は、このテンキーからの入力値は随伴者数であると認識し、その後の処理を実行する（ステップ１０７〜１１７）。
【００２０】
第一の自動扉Ａが開放され、入館者が第一の自動扉Ａと第二の自動扉Ｂの間の入館用エントランス２に進むと、入館者はそこに設けられた動画カメラ２４Ａにて撮影され、撮影された画像は、中央制御装置１の画像解析部１３に送られ、この画像解析部１３で解析されて入館者数が認識され、認識された人数が制御部１１へ転送される。制御部１１は、前記した登録された入館者数と画像解析部から転送された入館者数を照合し、両者が一致するときは、前記した第二の自動扉Ｂを開放する。
両者が一致しないときは、入館者には不審者が含まれると判断して、第二の自動扉Ｂを開放しない。
このように、本システムの制御部１１は、第一の自動扉Ａを、入居者又はシステムの認証に基づいて開放し、第二の自動扉Ｂを、入館を許可され登録された人数とシステムが解析・認識した人数とが一致することを条件として開放することとして、いわば二重のバリアを構築しているので、正規の入館者に付随して不審者が入館することを、自動的かつ確実に防止することができる。
【００２１】
次いで、本実施例の退館システムについて、図２、図４を参照して説明する。
本実施例では、退館用エントランス４、５には、３重の自動扉Ｃ、Ｄ、Ｅが配設されている。このうち自動扉ＣとＥが、本発明の第三、第四の自動扉であり、退館用ゲートを構成するものである。
自動扉Ｃ、Ｄ、Ｅの退館方向手前側及び第四の自動扉Ｅの屋外側には、順に人感センサーＡ、Ｂ、Ｃ、Ｄが配設されている。人感センサーＡ、Ｃ、Ｄが、順に本発明の第一乃至第三の人感センサーである。
これらの自動扉Ｃ、Ｄ、Ｅは、人感センサーの検知により開放され、所定時間経過後に閉鎖される。
また、退館用エントランスには、動画カメラ２４Ｂが備えられている。
【００２２】
図４の右図を参照して、退館者が、退館用エントランスから退館しようとすると、上記の自動扉Ｃ、Ｄ、Ｅの手前に配設された人感センサーＡ、Ｂ、Ｃが退館者を検知して、自動扉Ｃ、Ｄ、Ｅが退館者の歩行に合わせて順次開放され、センサーの検知が継続する限り開放し続け、センサーが検知しなくなってから所定時間経過後に閉じられる。このため、正規の退館者は多人数であっても、障害なく円滑に退館することができる。
【００２３】
本実施例の退館システムは、不審者が、最も屋外側の自動扉Ｅが退館者の退館に伴って開放されたときに、不正に入館しようとすることを防止するものである。
図４の左図に示すように、先ず、屋外に設置されたセンサーＤが自動扉Ｅの屋外側の滞在者を検知して、例えば、「隣の入口にお廻り下さい。」とのアナウンスを行い、入口と間違って退館用エントランスに近付いた入館者を入館用エントランスに誘導するとともに、不正に侵入を試みる不審者を自動扉Ｅの屋外側に留まることを防ぐ。
【００２４】
上記のアナウンス中、自動扉Ｅが退館者の退館に伴って開放されたときに、不正に侵入したときは、動画カメラ２４Ｂからネットワークを介して送信された撮像が画像解析部１３において解析され、退館とは逆行する動きを認識し、屋内側の自動扉Ｃ、Ｄを閉鎖するとともに、最も屋外側の自動扉Ｅを開放し、例えば、「こちらは退館専用の区域です。入館される方は隣の入口にお廻り下さい。」とのアナウンスを行い、不審者の退館エントランス４での滞在を阻止し、不正侵入を確実に防ぐ。
このとき、正規の退館者がセンサーＡに検知されていたとしても、センサーＤが不審者を検知するまで自動扉Ｃを開放しないでいると、正規の退館者を暫時待機させることとなる。
これを防ぐためには、センサーＤの検知を待つまでもなく、画像解析部の解析結果が順方向の退館であると認識された時点で、自動扉Ｃを開放するとよい。
【００２５】
＜実施例２＞
以上の実施例１の入・退館システムにより、充分確実に不審者の入館を防止することができるが、本実施例２ではさらに、ホールとエレベーターホール３との間に、第五の自動扉Ｆを設けている。
図１、図２、図３（ｃ）を参照して、入館者は、前述のように第二の自動扉Ｂが開放されると、ホールに進んでエレベーターホール３に近付く。
ホールとエレベーターホールとの間には、自動扉Ｆが配設されている。
この自動扉Ｆを開放するためには、ホールの自動扉Ｆ近傍に第二の読取手段３２が設けられているから、これに受付装置で発券されたコードが印刷された券又は入居者が保有するＩＣ内蔵のカード、鍵等を読み取らせる。
制御部１１がこれらを認証すると、自動扉Ｆを開放する。
【００２６】
入館者はさらに進んでエレベーター籠に搭乗すると、籠内にも第三の読取手段３３が備えられているので、上記の券又はカード、鍵等を読み取らせる。
読取手段３３から読み取った信号を受信した制御部１１は、認証媒体に記憶された情報に基づいて自動的に停止階を設定し、運行を開始して当該階に着床する。
このとき、エレベーター制御装置３１は読取手段３３が券やカードを読み取らない限り、停止階を設定せず、運行を開始しない。
この構成により、券を所持する正規の来訪者は、訪問先が存在する指定された階にのみ移動することができる。
一方、不審者は、仮に不正にエレベーターに搭乗したとしても、エレベーター籠内の読取手段３３に読み取らせるべき券を保持しないから、エレベーターによる垂直方向の移動はできず、不正な入館はエレベーターホールまでに留まる。
勿論、階段は火事等の非常時以外、来訪者の使用は不可とされている。
なお、このシステムでは入居者も来訪者と同じく、停止階を入居階に指定されてしまうので、制御部１１が入居者であると認識したときは、エレベーター内の通常の停止階指定ボタンの操作を有効化し、任意の停止階を指定できるようにするとよい。
【００２７】
さらに、エレベーター籠内に動画カメラ２４Ｃを設置して、上記の登録された入館者数と画像解析部で解析した入館者数を照合し、両者が一致していると判断したとき停止階までの運行を開始し、両者が一致していないと判断したとき運行を開始しないこととすれば、さらにセキュリティが向上する。
【００２８】
以上、本発明の不審者入館防止システムの実施例１、２の作動について説明してきたが、以下、中央制御装置１１とエレベーター制御装置３１の制御手順について、本システムのメインルーチンを示す図５、入館時のサブルーチンを示す図６、退館時のサブルーチンを示す図７のフローチャートに基づいて説明する。
【００２９】
図５のメインルーチンは、定期的、例えば５ｍｓ毎、に発生する内部タイマ割込による割込処理において実行される。したがって、後述する入館処理サブルーチン又は退館処理サブルーチンの実行中に、上記メインルーチンの割り込みが生じたときは、スタックポインタの指定アドレスをセットするためのスタックセット処理が行われる。
このメインルーチンは、主として退館用エントランスからの不審者の非正規の入館を防止するための制御フローであり、入館用エントランスからの入館制御フローと退館用エントランスからの退館制御フローについては、このメインルーチンが所定時間実行されたとき、入館処理サブルーチンを実行した後、退館処理サブルーチンを実行するよう構成されている（ステップ１００、２００）。
そして、ステップ１において屋外に設置されたセンサーＤが人を感知すれば、誤解又は悪意に基づく扉Ｅへの接近であると判断されるので、自動扉Ｃ、Ｅの駆動装置２５を閉駆動制御し、前述のアナウンスを行うため、タイマーのカウントアップを始め、所定時間、例えば５００ｍｓ、無限ループを実行してアナウンスを継続する（ステップ２〜５）。この所定時間が経過したら、タイマーカウンタをリセット（ステップ６）してステップ１００にジャンプして順に入館処理と退館処理を実行する。詳細は後述する。そして、このメインプログラムは、５ｍｓ毎に割り込み処理を実行するよう構成されているので、センサーＤが人を感知している間無限ループを実行し、人が存在しなくなるまでアナウンスを繰り返す。
【００３０】
センサーＤが人を感知しないか、しなくなった場合は、扉Ｅの外側近傍から人が去ったか、扉Ｅから不正侵入した可能性があるから、退館用エントランス４において、入館方向とは逆向きに移動する逆行があるか否か判断する（ステップ７）。中央制御装置１の画像解析部１３が逆行する人がいると認識したときは、制御部１１は、侵入フラグを立てて、不正侵入を阻止すべく、室内側の扉Ｃの駆動装置を閉駆動制御を維持するとともに、退館用エントランス４からの退去を促すため、屋外側の扉Ｅを開駆動制御して（ステップ９、１０）、アナウンスを繰り返す。
逆行した人が退館方向の移動を開始すると、退館するまで、５ｍｓ毎の割り込み処理を実行し、アナウンスを継続する。
センサーＤが不審者を検知するまで自動扉Ｃを開放しないでいると、センサーＡに検知された退館者を待機させることとなる。これを防ぐためこの実施例では、センサーＤの検知を待つまでもなく、画像解析部１３が退館方向の移動であると認識した（ステップ１３）時点において、センサーＡが検知していれば（ステップ１４）、自動扉Ｃを開放するようにしている（ステップ１５）。
次のステップ１６において、センサーＤが人を検知したとき（ステップ１６）は、逆行した人が退館したと判断できるので、扉Ｅを閉駆動制御して、再度の不正入館を阻止するとともに、先程のステップ８において立てた侵入フラグを外して、例えば「隣の入口にお廻り下さい。」とのアナウンスを行い（ステップ１７、１８）、ステップ１００に進む。
また、ステップ７において、画像解析部１３が逆行する人を認識しなかったときは、ステップ１００にジャンプし、入館処理サブルーチンを実行した後、退館処理サブルーチンを実行する（ステップ１００、２００）。
このルーチンにおいて、センサーＤが検知せず、画像解析部１３が逆方向の移動を認識せず、かつ、侵入フラグが立っていないときは、何の問題もないのでステップ１００にジャンプするが、センサーＤが検知せず、かつ、画像解析部１３が逆方向の移動を認識しない状態にあっても、侵入フラグが立っているとき（ステップ１１）は、退館エントランス４に不審者が滞在している可能性があるから、ステップ１２以降を実行して、「こちらは退館専用の区域です。入館される方は隣の入口にお廻り下さい。」とのアナウンス、また、ステップ１９の「隣の入口にお廻り下さい。」との上記のアナウンスを継続する。
【００３１】
次いで、図６の入館時のサブルーチンのフローチャートについて、詳細に説明する。
来訪者が、受付装置２１の通信部であるインターフォン等で訪問先を呼び出し、来訪した旨を告げる。インターフォン等がつながったとき、制御部１１は前記憶部１２から訪問先の停止階を自動的に読み出して、登録する。
受付装置２１の入力部は、入居者用端末装置２２の入力手段から入力・送信された許可信号によりその操作が有効にされ、入館者数が入力される（ステップ１０１〜１０３）。
このシステムに代えて、入居者用端末装置２２の入力手段から入館者数を入力可能としてもよい。
このとき、受付装置２１の入力部と入居者用端末装置２２の両方から入館者数が入力された場合は、入居者用端末装置２２からの入力が優先して制御部１１が備えている入館者数を登録するステップ１０８の入館者数登録手段にて登録されるようにする。
このようにして、入居者用端末装置の入力手段から入力・送信された入館者数を優先して登録する入館者数優先登録手段を構成すれば、来訪者が入館を希望する人数を入居者が許可する人数に制限することが可能となる。
なお、このように構成するときは、来訪者が入力した入館者数を入居者用端末装置２２の表示部に表示し、入居者は該表示を確認して打合せと異なるときは、自らが入力するとよい。
【００３２】
訪問先の許可により入館者数が入力されると、受付装置２１の発券部は、上記の停止階、来訪者数等をコードで印刷した紙製の認証媒体を、発券時間を短縮するため１つの入館手続きに対し１枚のみ発券する。
次に来訪者は、発券された認証媒体を第一の読取手段である受付装置２１の読取部に読み取らせて、本システムの認証を受けることとなる（ステップ１０４、１０５）。
上記読取部は、少なくとも来訪者の紙製の認証媒体に印刷されたコードを読み取るリーダと、入居者の保持する認証媒体の電気信号を読み取るリーダの２種類の読取手段を備えている。
したがって、入居者は、自らが保持するＩＣカード等の認証媒体を、電気信号を読み取るリーダに読み取らせて認証を受けることとなる。なお、入居者の認証は、認証媒体の電気信号を読み取るリーダに代えて、顔、虹彩、指紋、静脈のいずれか一つ以上を読取可能なものとしてもよい。
【００３３】
ステップ１０５において認証媒体のコードが読み取られると、制御部１１は、入館フラグを立てた後、入居者であるか否か判断し（ステップ１０７、１０８）、入居者でないと判断したときステップ１０４で入力された入館者数を記憶部に登録し（ステップ１０８）、第１の自動扉であるドアＡを開く（ステップ１０９）。
なお、自動扉は全て、進行方向手前側のセンサーが感知しなくなって所定時間経過後に閉じられるように構成されている。
【００３４】
一方、ステップ１０７において入居者であると判断されたときは、入居者は受付装置２１の入力部の操作が有効化される（ステップ１１２）。
入居者が、随伴者数、すなわち自分を除く入館者数を入力する（ステップ１１３）と、制御部１１は、入館者数は入力された人数＋１であると定義する（ステップ１１４）。
所定時間経過してもステップ１１３の入力がないときは、入館者数は１であると再定義して（ステップ１１７）、ステップ１０８に進んで入館者数を記憶部に登録して、ドアＡを開く。
なお、入居者は随伴者数ではなく、入館する者全員の人数を入力するものとしてもよい。
【００３５】
入館者が開かれた第一の自動扉であるドアＡからエントランス２内に進むと、次には第二の自動扉ドアＢが入館を阻むように閉じられている。
このエントランス２に備えてある動画カメラ２４Ａが上下左右に首を振りながら入館者を撮影し続けており、このビデオ信号はネットワークを介して中央制御装置１の画像解析部１３に送信され、この画像解析部１３にて画像解析されて、エントランス２内に存在する人数が識別される。
【００３６】
制御部１１は、ステップ１１０において、画像解析により識別された入館者数と前述の入館手続において登録された入館者数とを比較する。
比較の結果両者が一致するときは、不審者の入館はないと推測できるので、ドアＢを開放する（ステップ１１８）。
一方、両者が一致しないときは、不審者の入館があると推測できるので、ドアＡを開き、例えば「ご来館された方の数がお手続をされた数と異なります。ご面倒ですが、もう一度、お手続をして下さい。」とのアナウンスが、５ｍｓ毎の割り込み処理によりメインルーチンが実行されるまでの間、ステップ１０９にジャンプする無限ループによって実行され、再度の手続きにおいて両者が一致するまで繰り返される（ステップ１１０）。
本システムは、本人であることの認証により第一の自動扉を開放し、入館人数の確認により第二の自動扉を開放するものであって、いわばダブルチェック方式で不審者の侵入を防止するものである。
【００３７】
上記実施例２は、さらにドアＦの近傍に設けられた第二の読取手段３２と、エレベーター籠内に設けられた第三の読取手段３３が備えられ、セキュリティをさらにハイレベルのものとしている。
読取手段３２に上記の認証媒体を読み取らせることによりドアＦが開放されるので、エレベーターホール３内に進んで、停止しているか停止したエレベータ籠に搭乗し、エレベータ籠に備えられている第三の読取手段３３に読み取らせる（ステップ１１９〜１２２）。
制御部１１はステップ１２３において、搭乗者が入居者であるか否か判断し、来訪者であれば、上記の認証媒体に記録された訪問先階をエレベータ制御装置３１の停止階登録手段に登録し、当該階まで運行し、その他の階へは運行しない。このようにすることにより、来訪者が訪問先以外の階に立ち入ることはできなくしてある。
一方、搭乗者が入居者であると判断されたとき（ステップ１２３）は、エレベータ籠に通常備えられている停止階ボタンを有効化し、所定時間の範囲内で入居階とは異なる階に停止することを指定可能にしてある（ステップ１２５〜１２８）。
停止階まで運行したら、停止階データをリセットする（ステップ１２９〜１３０）、
退館するときは、上記読取手段３３に認証媒体を読み取らせることにより、エレベータホール階まで自動運転される。
当然入居者がエレベータ籠に搭乗したときは、上記のステップ１２３〜１２８の処理が実行されることから、館内を自由に上下移動することができる。
【００３８】
さらに、図７の退館時のサブルーチンのフローチャートについて、詳細に説明する。
このフローチャートは、正規の退館処理の手順を示すもので、非正規の退館処理の手順については、図５に基づいて段落００２９乃至段落００３０において既述のとおりであるので、ここでは説明を省略する。
人感センサーＡの検知信号が制御部１１に送信されると、制御部１１は退館用ゲートである第三の自動扉Ｃを開制御する（ステップ２０１〜２０２）。
次に、人感センサーＣが検知すると退館用ゲートの第四の自動扉Ｅを開制御し、人感センサーＤが検知すれば退館者は完全に退館したと判断できるので、無限ループ（ステップ２０５）で人感センサーＤの検知を待って自動扉Ｅを閉制御し（ステップ２０５〜２０６）、不審者の入館を極力防止している。
なお、自動扉Ｄの開閉制御は、本フローチャートとは別個の系統で単純なオンオフ制御している。
【図面の簡単な説明】
【００３９】
【図１】本発明の不審者入館防止システムの構成を概略的に示すシステム構成概略図である。
【図２】本システムを適用した実際の建物の全体図である。
【図３】本システムの入館時における作動を示す図であり、（ａ）は第一の入館エントランス領域における作動を、（ｂ）は第二の入館エントランス領域における作動、（ｃ）はエレベーターホールにおける作動を、それぞれ示す図である。
【図４】本システムの退館時における作動を示す図である。
【図５】本システムのメインルーチンを示す図である。
【図６】入館時のサブルーチンのフローチャートを示す図である。
【図７】退館時のサブルーチンのフローチャートを示す図である。
【符号の説明】
【００４０】
１    中央制御装置
１１    制御部
１２    記憶部
１３    画像解析部
１４    自動扉開閉部
２１    受付装置
２２    入居者用端末装置
２３    人感センサー
２４    撮影装置
２５    自動扉駆動装置
３１    エレベーター制御装置
３２    ホール内読取装置
３３    エレベーター内読取装置
【図１】
0004986233.tif 000002
【図２】
0004986233.tif 000003
【図３】
0004986233.tif 000004
【図４】
0004986233.tif 000005
【図５】
0004986233.tif 000006
【図６】
0004986233.tif 000007
【図７】
0004986233.tif 000008